(57)【特許請求の範囲】
【請求項１】
フレーム内部に直流モータを組込んだ電動工具の配線構造において、
電源をＯＮ／ＯＦＦするためのスイッチと前記直流モータの第１のステータコイルとを接続する金属製の第１接続プレートと、
電源プラグコードと前記直流モータの第２のステータコイルとを接続する金属製の第２接続プレートと、
前記第１の接続プレートと前記第２の接続プレートとに接触したコンデンサや抵抗等の電気素子と、
を有し、
前記電気素子をケースに取り付け、
前記ケースは、分割された一対の第１ケース部と第２ケース部とを組み合わすものであり、
前記ケース内部には、前記第１の接続プレートと第２の接続プレートが設けられ、
前記第１ケース部には、前記電気素子の本体から突出する一対の脚を差し込むための差込孔が開口し、
前記第１ケース部の裏面における前記差込孔近傍には一対の第１ケース部側突出部が突出し、
前記第２ケース部の裏面には前記一対の第１ケース部側突出部の内側に嵌合するように一対の第２ケース部側突出部が突出し、
前記電気素子の一対の脚を前記差込孔に差込んで、前記一対の第１ケース部側突出部に沿ってＵ字状に折曲し、
前記第１ケース部と前記第２ケース部とを組み合わせることにより、前記電気素子の一対の脚は、前記第１ケース部側突出部、前記第２ケース部側突出部、前記第１の接続プレート、前記第２の接続プレートとにより押圧されて、それぞれ接触固定される
ことを特徴とする電動工具の配線構造。
【発明の詳細な説明】
【０００１】
【発明の属する技術分野】
本発明は、電動工具の配線構造、及び、電気素子の配線構造に関するものである。
【０００２】
【従来の技術】
ディスクグラインダ等の電動工具は、その内部の直流モータを駆動源として砥石等を回転させている。この場合に、交流電源から直流モータへのプラグコードや、電源をＯＮ／ＯＦＦするためのスイッチが必要である。そして、これら部品と直流モータのステータコイルと配線を行うためには、リード線や端子等を従来利用していた。
【０００３】
また、電気回路中にコンデンサや抵抗が必要な場合には、これらコンデンサや抵抗等の電気素子を、配線基板に半田付け及び圧着端子を使用して接続していた。
【０００４】
【発明が解決しようとする課題】
しかしながら、上記のように配線においてリード線や端子等を使用するとその構成が複雑となり組み立てに時間がかかる。また、電気素子の半田付けは、電動工具の振動等による脚折れが発生して断線が発生する場合があった。
【０００５】
そこで、本発明は上記問題点に鑑み、電気配線を容易に行うことができる電動工具の配線構造及び電気素子の配線構造を提供するものである。
【０００６】
【課題を解決するための手段】
本発明の請求項１の電動工具の配線構造は、フレーム内部に直流モータを組込んだ電動工具の配線構造において、電源をＯＮ／ＯＦＦするためのスイッチと前記直流モータの第１のステータコイルとを接続する金属製の第１接続プレートと、電源プラグコードと前記直流モータの第２のステータコイルとを接続する金属製の第２接続プレートと、前記第１の接続プレートと前記第２の接続プレートとに接触したコンデンサや抵抗等の電気素子とを有し、前記電気素子をケースに取り付け、前記ケースは、分割された一対の第１ケース部と第２ケース部とを組み合わすものであり、前記ケース内部には、前記第１の接続プレートと第２の接続プレートが設けられ、前記第１ケース部には、前記電気素子の本体から突出する一対の脚を差し込むための差込孔が開口し、前記第１ケース部の裏面における前記差込孔近傍には一対の第１ケース部側突出部が突出し、前記第２ケース部の裏面には前記一対の第１ケース部側突出部の内側に嵌合するように一対の第２ケース部側突出部が突出し、前記電気素子の一対の脚を前記差込孔に差込んで、前記一対の第１ケース部側突出部に沿ってＵ字状に折曲し、前記第１ケース部と前記第２ケース部とを組み合わせることにより、前記電気素子の一対の脚は、前記第１ケース部側突出部、前記第２ケース部側突出部、前記第１の接続プレート、前記第２の接続プレートとにより押圧されて、それぞれ接触固定されるものである。
【０００７】
請求項１の電動工具の配線構造であると、電気素子の一対の脚が突出部に固定されているために、第１の接続プレートと第２の接続プレートに確実に接触させことができるので、その配線を容易に行うことができる。
【０００８】
【発明の実施の形態】
以下、本発明の一実施形態を図１〜図７に基づいて説明する。
【０００９】
図１は本発明の一実施形態を示す電動工具の１つであるディスクグラインダ１０の斜視図であり、図２はその分解斜視図である。
【００１０】
まず、図１及び図２に基づいてディスクグラインダ１０の構造について説明する。
【００１１】
ディスクグラインダ１０の本体は左右一対のフレーム１２，１４よりなり、フレーム１２，１４のほぼ中央部に直流モータのステータ１６が内蔵されている。また、このステータ１６の内部にはアマチュア１８が内蔵され、アマチュア１８の出力軸には減速機構２０が接続され、この減速機構２０の一部であるスピンドル２２が回転する。スピンドル２２の下端には砥石２４がネジ止めされている。なお、この砥石２４はディスクグラインダ１０とは別体のスパナ２６によって取り外し可能となっている。
【００１２】
ステータ１６の後方には、電気配線を行うための配線ケース２８がフレーム１２，１４の内部に収納されている。以下、この配線ケース２８の構造について図２〜図７に基づいて説明する。
【００１３】
アマチュア１８の後部には、後述する上下一対のブラシ部８０，８８が接触する円筒形のコンミテータ１９が同軸に設けられている。そして、アマチュア１８及びコンミテータ１９は、一対のベアリング３０，３２によって回動自在に支持されている。
【００１４】
配線ケース２８は合成樹脂製であり、一対の左ケース３４と右ケース３６とよりなる。
配線ケース２８の形状は、後部がディスクグラインダ１０の電源をＯＮ／ＯＦＦするためのスイッチ３８と電源プラグコード４０が取り付け可能なようにほぼ立方体の形状となっており、中央部はその後部よりやや細くなった形状となっている。そして、前部は上下一対の上腕部４２と下腕部４４が突出している。この上腕部４２と下腕部４４はステータ１６の４つの接続部４６，４８，５０，５２と接続可能となっている（図６参照）。
【００１５】
以下、順番にその配線構造について説明する。
【００１６】
交流電源３９に差し込まれる電源プラグコード４０の内部にはそれぞれ２本のコード５４，５６が収納され、コード５４の先端には金具５８が設けられ、コード５６の先端には金具６０が設けられている。そして、金具５８はスイッチ３８の第１端子６２に差し込まれる。
【００１７】
スイッチ３８の第２端子６４には、黄銅よりなる長い板状の上接続プレート６６が差し込まれる。この上接続プレート６６は、その後部が前記したようにスイッチ３８の第２端子６４と差込み可能なように筒状であり、この筒状の部分が第２端子６４に差込まれる。一方、上接続プレート６６の前端部は、ステータ１６の接続部４６に差込まれる。なお、この差込可能なようにするために、上接続プレート６６の先端は２つに分かれ、かつ、先端は丸みを帯びた形状となっている。また、上接続プレート６６の中央部には、コンデンサ６８の第１の脚６８ａが接続可能なように突片７０が設けられている。なお、この接続構造については後から詳しく説明する。
【００１８】
一方、コード５６の先端にある金具６０は、黄銅よりなる長い板状の下接続プレート７２の後部にある突出部７５に差込まれる。この下接続プレート７２の前端部は、ステータ１６の接続部５２に差込可能となっている。さらに、下接続プレート７２の中央部には突片７４が設けられ、前記したコンデンサ６８の第２の脚６８ｂが接続可能となっている。
なお、この接続構造については後から詳しく説明する。
【００１９】
配線ケース２８の上腕部４２のほぼ中央部には四角柱状の上ブラシ部材７６が取り付けられている。この上ブラシ部材７６は、上基部７８と上ブラシ部８０とよりなり、上ブラシ部８０が上基部７８に対し不図示のスプリングによって挿入可能となっている。そして、この上ブラシ部８０と電気的に接続されている上ブラシ端子８２がステータ１６の接続部４８に差込まれる（図６参照）。
【００２０】
配線ケース２８の下腕部４４にも同じく下ブラシ部材８４が設けられている。この下ブラシ部材８４も同様に下基部８６と下ブラシ部８８とよりなり、下ブラシ部８８と電気的に接続された下ブラシ端子９０がステータ１６の接続部５０に差込まれる（図６参照）。
【００２１】
そして、上接続プレート６６、下接続プレート７２、スイッチ３８、電源プラグコード４０の端部、上ブラシ部材７６、下ブラシ部材８４は左右一対の左ケース３４及び右ケース３６の内部に収納される（図３，４参照）。
【００２２】
具体的には、図３において、スイッチ３８は配線ケース２８の後部上に配置され、電源プラグコード４０は後部下に配置される。上接続プレート６６は、配線ケース２８の上部に沿って配され、その前端部近傍に上ブラシ部材７６が配置される。一方、下接続プレート７２は配線ケース２８の下部に沿って配され、その前端部近傍に下ブラシ部材８４が配される。上接続プレート６６と下接続プレート７２と上ブラシ部材７６の上ブラシ端子８２と下ブラシ部材８４の下ブラシ端子９０と、ステータ１６の接続部４６，４８，５０，５２の接続関係は図６に示すような構造となっている。
【００２３】
次に、配線ケース２８の中央部に配されるコンデンサ６８の取り付け方法について図５に基づいて説明する。
【００２４】
図５は配線ケース２８のほぼ中央部の縦断面図であり、すなわち、図４におけるＡ−Ａ断面図である。なお、図４は、前から後を見る状態であるために、左右が逆になっている点に注意されたい。
【００２５】
左ケース３４の表面には、コンデンサ６８の本体６８ｃを収納するための収納部９５が設けられ、収納部９５の底部には、コンデンサ６８の一対の脚６８ａ，６８ｂを差し込むための一対の差込孔３５，３５が開口し、左ケース３４の裏面の一対の差込孔３５，３５の位置から左突出部３４ａ．３４ｂが一対突出している。
【００２６】
左ケース３４と係合する右ケース３６の裏面には、前記左突出部３４ａ，３４ｂの内側に嵌合する一対の右突出部３６ａ，３６ｂが突出している。また、右ケース３６の内側における右突出部３６ａ，３６ｂの中程には、固定部９６ａ．９６ｂが設けられている。
【００２７】
配線ケース２８にコンデンサ６８を取付ける場合を詳しく説明する。
【００２８】
コンデンサ６８の一対の脚６８ａ，６８ｂを一対の差込孔３５，３５に差し込んで、コンデンサ６８の本体６８ｃを収納部９５に収納する。一方、一対の脚６８ａ，６８ｂはその先端部を、左突出部３４ａ．３４ｂに沿ってＵ字状に折曲する。そして、左ケース３４と右ケース３６とを係合すると、右ケース３６の固定部９６ａ．９６ｂに一対の脚６８ａ，６８ｂの折曲部があてがわれる。また、折曲された第１の脚６８ａには上接続プレート６６の突片７０が押圧され、第２の脚６８ｂには下接続プレート７２の突片７４が押圧されている。この場合に、第１の脚６８ａは、左突出部３４ａと右突出部３６ａに固定されているために第１の脚６８ａを突片７０に押圧して確実に接触させる。さらに、第２の脚６８ｂは、左突出部３４ｂと右突出部３６ｂに固定されているために第２の脚６８ｂを突片７４に押圧して確実に接触させる。そして、ディスクグラインダ１０がその作業により振動しても電気的接触が外れたりする恐れがない。
【００２９】
これにより、コンデンサ６８を取り付ける場合には、コンデンサ６８を収納部９５に収納しつつ、収納部９５から突出した一対の脚６８ａ，６８ｂを、上接続プレート６６，７２に接触させればよい。この接触も左ケース３４に右ケース３６をはめ込むだけで行うことができる。
【００３０】
上記構成の電気配線の状態を電気回路図に示したものが図７であり、これにより、スイッチ３８をＯＮ状態にするとアマチュア１８が回転する。すなわち、接続部５０と接続部４６との間には第１のステータコイル９４が接続され、接続部４８と接続部５２との間には第２のステータコイル９２が接続されている。
【００３１】
最後に上記構成の部品を組み立てる場合を簡単に説明する。
【００３２】
上記したように、一対の左右ケース３４，３６の内部に上接続プレート６６、下接続プレート７２、スイッチ３８、電源プラグコード４０の端部、上ブラシ部材７６、下ブラシ部材８４を収納して配線ケース２８を組み立て、この場合にコンデンサ６８も同時に取り付ける。そして、配線ケース２８から突出している上腕部４２と下腕部４４とをステータ１６につなげると電気配線が完了する。また、上下一対のブラシ部８０，８８にコンミテータ１９を接触させれば、その組立は完了する。
【００３３】
上記構造の電気配線構造であると、従来必要とされたリード線が不要となり、その組立が容易となる。また、コンデンサ６８も、その脚６８ａ，６８ｂを上下接続プレート６６，７２にそれぞれ接触させるだけであるため、半田付け等が不要となり、ディスクグラインダ１０がその作業により振動しても電気的接触が外れたりすることがない。
【００３４】
なお、上記回路構成ではコンデンサ６８を接続する必要があったが、この接続方法はこれ以外に抵抗素子等においても使用することができる。また、電動工具としては、ディスクグラインダ以外のものでもよく、たとえば、振動ドリル装置でもよい。
【００３５】
【発明の効果】
以上により本発明の電動工具の配線構造であると、その配線を行うための組立作業が容易となり、また、電動工具の作業による振動によってもその配線構造が外れたりすることがない。
【００３６】
また、本発明の電気素子の配線構造であると、その配線を行うための組立作業が容易となる。
【図面の簡単な説明】
【図１】  本発明の一実施形態を示すディスクグラインダの斜視図である。
【図２】  同じく分解斜視図である。
【図３】  配線ケース内部の構造を示す図面である。
【図４】  配線ケースの構造を示す図面である。
【図５】  図４におけるＡ−Ａ線断面図である。
【図６】  ステータの接続部と配線ケースの接続関係を示す図面である。
【図７】  ディスクグラインダの電気回路図である。
【符号の説明】
１０  ディスクグラインダ
１６  ステータ
１８  アマチュア
１９  コンミテータ
２８  配線ケース
３４  左ケース
３６  右ケース
３８  スイッチ
４０  電源プラグコード
６６  上接続プレート
６８  コンデンサ
７０  突片
７２  下接続プレート
７４  突片
【図１】
0004649003.tif 000002
【図２】
0004649003.tif 000003
【図３】
0004649003.tif 000004
【図４】
0004649003.tif 000005
【図６】
0004649003.tif 000006
【図５】
0004649003.tif 000007
【図７】
0004649003.tif 000008